(57)【要約】【課題】小さな力で、多数の洗濯ばさみの挟持部を同時に開くことができる洗濯物干しハンガー提供する。【解決手段】一対の挟持部６，６と、一対の作用部７ａ，７ｂを有する複数個の洗濯ばさみ３と、支持枠２を有する洗濯物干しハンガー１であって、支持枠２に、その横方向に移動可能な牽引部材１１を設け、一方の作用部７ａの一端を、支持枠２に連結し、一方の作用部７ａの一端部に取付穴７ｃを設け、取付穴７ｃに回転部材８を回転可能に設け、回転部材８内には、両端が開口する連通路８ａが形成され、一端を他方の作用部７ｂの一端部に連結するとともに、連通路８ａに挿通し、他端を牽引部材１１に連結した紐状部材１２を設け、牽引部材１１を移動させることにより、紐状部材１２を移動させて、作用部７ａ，７ｂを閉じて、挟持部６，６を開き、挟持部６，６を開いた際に、紐状部材１２を直線状とすることができるようにした。【選択図】  図６
2015000318.tif 000002
【特許請求の範囲】
【請求項１】
開閉軸を中心として開閉し、洗濯物を挟持する一対の挟持部と、閉じることにより前記挟持部を開く一対の作用部と、前記挟持部を閉方向に付勢する付勢部材とを有する複数個の洗濯ばさみと、支持枠を有する洗濯物干しハンガーであって、
前記支持枠に、その横方向に移動可能な牽引部材を設け、
一方の作用部の一端を、前記支持枠に連結し、
前記一方の作用部の一端部に、洗濯ばさみの開閉方向に貫通する取付穴を設け、該取付穴に回転部材を回転可能に設け、該回転部材内には、両端が開口する連通路が形成され、
一端を他方の作用部の一端部に連結するとともに、前記連通路に挿通し、他端を前記牽引部材に連結した紐状部材を設け、
前記牽引部材を移動させることにより、前記紐状部材を移動させて、前記作用部を閉じて、前記挟持部を開き、
前記挟持部を開いた際に、前記紐状部材を直線状とすることができることを特徴とする洗濯物干しハンガー。
【発明の詳細な説明】
【技術分野】
【０００１】
本発明は、洗濯物干しハンガーに関する。
【背景技術】
【０００２】
従来、洗濯物干しハンガーに掛けた複数の洗濯物を、その取り込む際に、一度に取外すことができる洗濯物干しハンガーとして下記のものが知られている。
【０００３】
例えば、洗濯物干しハンガーは、フレームと、該フレームとの間隔を変えることができる移動可能な多数の洗濯ばさみと、を有し、該洗濯ばさみは、洗濯物を挟持する一対の挟持部と、該挟持部を開閉するための一対の作用部と、前記挟持部を閉じる方向に付勢するバネ材を有している。前記各洗濯ばさみには、その一方の作用部に固定し、他方の作用部に設けた貫通穴に挿通する牽引紐を設け、各洗濯ばさみの牽引紐は、フレームに設けた取付穴に挿通した後にレバーに集結されている。そして、このレバーを手で引くと、多数の洗濯ばさみがフレーム方向に移動して、夫々の他方の作用部がフレーム等に当接し、更に牽引紐を引くと、各洗濯ばさみの両作用部が閉じて、挟持部が開き、多数の洗濯ばさみから同時に洗濯物が外れるものが知られている（例えば、特許文献１参照）。
【先行技術文献】
【特許文献】
【０００４】
【特許文献１】特開２００６−３４０９４７号公報
【発明の開示】
【発明が解決しようとする課題】
【０００５】
前記従来技術の洗濯物干しハンガーは、前記レバーを引く際に、牽引紐が様々な部材に当接して曲折しているために、その当接部での摩擦抵抗が生じ、牽引紐を引くのに大きな力が必要となるという問題点がある。
【０００６】
また、牽引紐が曲折して移動することで、その曲折部で牽引紐が磨耗し、切断してしまう恐れがある。
【０００７】
そこで、本発明は、前記従来技術よりも小さな力で、多数の洗濯ばさみの挟持部を同時に開くことができる洗濯物干しハンガー提供することを目的とするものである。
【課題を解決するための手段】
【０００８】
前記の課題を解決するために、請求項１記載の発明は、開閉軸を中心として開閉し、洗濯物を挟持する一対の挟持部と、閉じることにより前記挟持部を開く一対の作用部と、前記挟持部を閉方向に付勢する付勢部材とを有する複数個の洗濯ばさみと、支持枠を有する洗濯物干しハンガーであって、
前記支持枠に、その横方向に移動可能な牽引部材を設け、
一方の作用部の一端を、前記支持枠に連結し、
前記一方の作用部の一端部に、洗濯ばさみの開閉方向に貫通する取付穴を設け、該取付穴に回転部材を回転可能に設け、該回転部材内には、両端が開口する連通路が形成され、
一端を他方の作用部の一端部に連結するとともに、前記連通路に挿通し、他端を前記牽引部材に連結した紐状部材を設け、
前記牽引部材を移動させることにより、前記紐状部材を移動させて、前記作用部を閉じて、前記挟持部を開き、
前記挟持部を開いた際に、前記紐状部材を直線状とすることができることを特徴とするものである。
【発明の効果】
【０００９】
本発明によれば、挟持部を開いた際に、前記紐状部材を直線状とすることができるようにしたことにより、前記従来技術の洗濯物干しハンガーよりも紐状部材を移動させる際の摩擦抵抗を減少させ、多数の洗濯ばさみの挟持部を、容易に一度に開くことができる。
【図面の簡単な説明】
【００１０】
【図１】本発明の実施例に係る洗濯物干しハンガーの側面図。
【図２】図１の状態からフックを外した状態の斜視図。
【図３】図１の拡大部分側面図で、洗濯ばさみを閉じた状態を示す図。
【図４】図３の状態から洗濯ばさみを開いた状態を示す側面図。
【図５】図３の縦断面図。
【図６】図４の縦断面図。
【発明を実施するための形態】
【００１１】
本発明を実施するための形態を図に基づいて説明する。
図１乃至図６は、本発明の実施例を示す。
【００１２】
図１は、洗濯物干しハンガー１の側面図、図２は、フック２１を外した状態の前記洗濯物干しハンガー１の斜視図である。以下において、図１の上方を上Ａ、下方を下Ｂとし、図１の右側を右Ｃ、左側を左Ｄとして説明する。
【００１３】
洗濯物干しハンガー１は、図１，２に示すように、支持枠２を有し、該支持枠２から下方に多数の洗濯ばさみ３が吊下げられている。吊下げる洗濯ばさみ３の数は、任意に設定することができるが、本実施例においては３２個設けた。
【００１４】
前記洗濯ばさみ３は、図３〜６に示すように、凹凸部を嵌合してなる開閉軸４と、該開閉軸４を中心に開閉可能な一対の挟持部材５，５を有し、各挟持部材５，５の下部には、洗濯物等を挟持する挟持部６，６が形成され、前記挟持部材５における前記開閉軸４よりも上方には作用部７ａ，７ｂが形成されている。
【００１５】
前記作用部７ａ，７ｂと挟持部６，６は樹脂で形成され、作用部７ａ（７ｂ）と挟持部６（６）は一体に形成されている。前記作用部７ａ，７ｂは、図３，５に示すように、挟持部６，６が閉じた状態において、上方Ａに向うほど、外側方向に拡がるように形成され、図３，５に示すように作用部７ａ，７ｂを開いたとき挟持部６，６が閉じ、図４，６に示すように作用部７ａ，７ｂを閉じたとき挟持部６，６が開くようになっている。
【００１６】
前記挟持部材５，５には、挟持部６，６を閉方向に付勢する付勢部材９が設けられている。該付勢部材９は、挟持部６，６を閉方向に付勢することができれば任意の部材を用いることが出来、例えば、鋼線、バネ材、ゴム材等を用いることが出来、本実施例では、円弧状の鋼線を用いた。
【００１７】
前記支持枠２の下部には、図５，６に示すように、左右方向に貫通する取付穴２ａが形成され、一方の作用部７ａの上端には、開閉方向に貫通する取付穴７ｄが形成され、この取付穴２ａと７ｄは、Ｏ状の連結部材１０で連結されている。これにより、支持枠２に対して、洗濯ばさみ３を、任意の方向に回動することができるようになっている。
【００１８】
前記一方の作用部７ａの上端部には、洗濯ばさみ３の開閉方向（図５における左右方向）に貫通する取付穴７ｃが形成されている。該取付穴７ｃには、回転部材８が回転可能に取り付けられている。
【００１９】
該回転部材８には、図５，６に示すように、両端が開口する連通路８ａが形成され、その一方の開口部８ｂは、他方の作用部７ｂ側に開口し、他方の開口部８ｃは、洗濯ばさみ３を閉じた際に、前記支持枠２方向に向かって開口できるように形成されている。また、連通路８ａの他方の開口部８ｃには、図５に示すように、洗濯ばさみ３を開じた際に、前記支持枠２方向に向かって開口できる溝８ｄが形成され、該溝８ｄと他方の開口部８ｃは連通している。
【００２０】
前記支持枠２内には、横方向である左右方向（Ｃ−Ｄ方向）に摺動することができる牽引部材１１が設けられている。
【００２１】
前記洗濯ばさみ３の他方の作用部７ｂには、図５，６に示すように、軸方向において任意の部位で曲折可能な紐状部材１２の一端が固着されている。該紐状部材１２は、前記連通路８ａ内に挿通され、前記紐状部材１２の他端は、前記牽引部材１１に固着されている。本実施例では紐状部材１２として、複数本の糸を寄り合わせた紐を使用し、糸としては、任意の繊維を使用することが出来る。
【００２２】
図５に示すように、洗濯ばさみ３を閉じた状態において、紐状部材１２に余裕があるとともに、回転部材８が牽引部材１１の近傍に位置することができるように、紐状部材１２の長さが設定されている。
【００２３】
前記連通路８ａの形状は、図６に示すように、洗濯ばさみ３を開いた状態で、紐状部材１２が直線状となることが出来るように形成されている。
【００２４】
前記支持枠２は、図１，２に示すように、左側ケース１５ａと右側ケース１５ｂを有し、左右ケース１５ａ，１５ｂは回転軸１６で連結されている。ケース１５ａ，１５ｂは、図１，２に示す開いた状態から、回転軸１６を中心としてケース１５ａ，１５ｂの左右方向（Ｃ−Ｄ方向）の中央が上Ａ方に、ケース１５ａ，１５ｂの両端部が下Ｂ方に向って回動することにより、ケース１５ａ，１５ｂを折り畳むことができるようになっている。
【００２５】
左右ケース１５ａ，１５ｂは、夫々に左右方向（Ｃ−Ｄ方向）に並行して設けられた４本の主枠１８を有し、該主枠１８内に前記牽引部材１１が左右方向（Ｃ−Ｄ方向）に摺動可能に設けられている。左側ケース１５ａの４本の主枠１８の外側端部（左Ｃ側端部）は、側枠１９で連結されている。右側ケース１５ｂの４本の主枠１８の外側端部（右Ｄ側端部）は、側枠１９で連結されている。
【００２６】
左側ケース１５ａの４本の主枠１８のうち、図２の前側２本の主枠１８，１８相互と、図２の後側２本の主枠１８，１８相互は、左右方向（Ｃ−Ｄ方向）の中央側端部において夫々棧２１で連結され、右側ケース１５ｂの４本の主枠１８のうち、前側２本の主枠１８，１８相互と、後側２本の主枠１８，１８相互は、左右方向（Ｃ−Ｄ方向）の中央側端部において夫々棧２１で連結されている。
【００２７】
また、ケース１５ａ（１５ｂ）における棧２１（２１）には、図１，２に示すように、夫々ストッパー部１７ａ（１７ａ）が形成され、左右のストッパー部１７ａ，１７ａが当接することで、左右のケース１５ａ，１５ｂが開いた状態を保持することができるようになっている。
【００２８】
左側ケース１５ａの４本の主枠１８内に備えられた４本の牽引部材１１のうち、図２の前側２本の牽引部材１１，１１相互と、図２の後側２本の牽引部材１１，１１相互は、左右方向（Ｃ−Ｄ方向）の中央側端部において夫々持ち手２０で連結され、右側ケース１５ｂの４本の主枠１８内に備えられた４本の牽引部材１１のうち、前側２本の牽引部材１１，１１相互と、後側２本の牽引部材１１，１１相互は、左右方向（Ｃ−Ｄ方向）の中央側端部において夫々持ち手２０で連結されている。
【００２９】
前記主枠１８のの中央側端部には、左右方向（Ｃ−Ｄ方向）に所定距離の切欠２２が形成され、該切欠２２内に前記持ち手２０が配置され、該持ち手２０を、切欠２２内の左右方向（Ｃ−Ｄ方向）に移動させることができるようになっている。該持ち手２０を、左右方向（Ｃ−Ｄ方向）に移動させることにより、牽引部材１１が左右方向（Ｃ−Ｄ方向）に移動するようになっている。
【００３０】
持ち手２０に力が作用しない通常の状態では、一方の作用部７ａの上端が、支持枠２に連結されているため、図５に示すように、洗濯ばさみ３の付勢部材９の付勢力により、作用部７ａ，７ｂ間が離間する方向に作用して、紐状部材１２が引っ張られてると、牽引部材１１及び持ち手２０は、左右方向（Ｃ−Ｄ方向の）外側方向に移動し、その位置を保持するようになっている。このとき、紐状部材１２は、図５に示すように、前記回転部材８の溝８ｄに位置するようになっている。
【００３１】
洗濯ばさみ３が閉じた状態では、図５に示すように、回転部材８と牽引部材１１との間の紐状部材１２に余裕があるとともに、Ｏ状の連結部材１０で、支持枠２と洗濯ばさみ３を連結したことにより、洗濯物を干す際に、洗濯ばさみを３を任意の方向に回動することができるようになっている。
【００３２】
次に、洗濯物干しハンガー１に干した洗濯物の取外し方法について説明する。
洗濯物干しハンガー１の支持枠２を、図１，２に示すように、左右に開き、複数の洗濯ばさみ３に洗濯物が干されている状態において、手操作で持ち手２０を、洗濯ばさみ３の付勢部材９に抗して、左右方向（Ｃ−Ｄ方向）の内側方向（図５の矢印Ｘ方向）に移動させると、その持ち手２０に連結された牽引部材１１がＸ方向に移動し、図６に示すように、該牽引部材１１に連結された各紐状部材１２により、各洗濯ばさみ３の他方の作用部７ｂが左右方向（Ｃ−Ｄ方向）の内側方向に引っ張られる。これにより、回転部材８は、その溝８ｄが支持枠方向に向くように回動するとともに、作用部７ａ，７ｂが閉じ、挟持部６，６が開く。このように、持ち手２０を移動させることで、複数の洗濯ばさみ３を一度に開くことが出来、その洗濯ばさみ３に干された複数の洗濯物を一度に取り外すことが出来る。
【００３３】
この紐状部材１２が図５の左側方向に移動する際に、紐状部材１２は、連通路８ａ等と極力接触することなく移動して、紐状部材１２を、図６に示すように、直線状態とすることができるため、持ち手２０を移動させる際に、紐状部材１２を連通路８ａ等と極力接触することなく移動させることができ、前記従来技術の洗濯物干しハンガーと比較して、摩擦抵抗を小さくすることができるため、前記従来技術の洗濯物干しハンガーよりも小さな力で行うことが出来る。
【符号の説明】
【００３４】
１  洗濯物干しハンガー
２  支持枠
３  洗濯ばさみ
４  開閉軸
６  挟持部
７ａ，７ｂ  作用部
７ｃ  取付穴
８  回転部材
８ａ  連通路
１０  付勢部材
１１  牽引部材
１２  紐状部材
【図１】
2015000318.tif 000003
【図２】
2015000318.tif 000004
【図３】
2015000318.tif 000005
【図４】
2015000318.tif 000006
【図５】
2015000318.tif 000007
【図６】
2015000318.tif 000008